(57)【要約】【課題】二重床構造におけるパネルの移設、増設等に伴うパネルの取り外し、取替え後にパネルを元に戻す際の、パネル敷設方向を元の敷設方向と同一に保つ。特に、支持脚一体型パネル、支持脚分離型パネル、床スラブのクリープ現象等による問題を解消する。パネルが誤った敷設方向になることを防止する。【解決手段】パネルの隅部と支持脚上面部との係合において、少なくとも一部のパネル隅部を他の隅部と異なる係合構造とすると共に、支持脚の上部構造、太さ、台座等の構成を変えてパネルの嵌合又は係合を容易にする。各パネルの敷設方向が所定の方向に共通特化され、パネル敷設作業を容易かつ、迅速、確実にさせる。【選択図】　図１
2004027491.tif 000002
【特許請求の範囲】
【請求項１】
床面に所定間隔をあけて立設され、上面部を備えた複数の支持脚と、
前記支持脚間であって該支持脚に架設され前記上面部に敷設される複数のパネル部材とを有し、
敷設後のパネル部材離脱時に前記支持脚が、前記床面側に残る支持脚分離型の二重床構造において、
前記支持脚の上面部と前記パネル部材の裏面隅部とは、前記パネル部材の敷設方向が特定される様に、該上面部で集合される多数のパネル部材隅部の係合が異なる係合構造で構成されたことを特徴とする二重床構造。
【請求項２】
請求項１記載において、
前記係合構造は、前記支持脚の上面部と前記パネル隅部とが略凹凸形状で係合する係合部を形成して成ることを特徴とする二重床構造。
【請求項３】
請求項１記載において、
前記係合構造は、前記支持脚上面部と該上面部に集合される各パネル部材の隅部とが、夫々異なる形態、異なる大きさ、異なる位置関係の少なくともいずれかにより係合されてなることを特徴とする二重床構造。
【請求項４】
床面に設置される基台上に、所定の高さ調整機構を有する複数の支持脚を、所定間隔をあけて立設し、各支持脚上方には、敷設される所定のパネル隅部を係合設置する支持脚係合部を有する支持脚ユニットと、
床面上の所定位置に複数設置された支持脚ユニット相互間であって、該各支持脚係合部により四隅部が係合支持されるパネル係合部を有するパネル部材とを有し、
前記支持脚ユニットは、前記各支持脚係合部と前記パネル係合部とにより前記複数のパネル隅部を夫々集合させて係合し、前記複数のパネル部材を前記支持脚上に支持して構成された二重床構造において、
前記各支持脚係合部は、その少なくとも一つの係合部が、他の係合部と異なる係合構造で形成され、
前記パネル係合部は、その四隅部が前記一つの係合部と前記他の係合部に夫々対応する様に異なる係合構造の係合部で形成され、
前記異なる形態の支持脚係合部と、その対応する前記異なる形態のパネル係合部との係合によって、前記パネル部材の敷設方向が特定される様に構成されたことを特徴とする二重床構造。
【請求項５】
所定の上面部を有する支持脚を、所定間隔をあけて複数個、床面Ｆに立設するステップ（１）と、
前記立設された支持脚間に架設され該支持脚の上面部に載置されるパネル部材を、平面状の床面を形成する様に複数配設するステップ（２）と、
前記支持脚の立設時、又はパネル部材の配設時に、前記床面から上面部までの支持脚の高さを所定の高さ調整部材により調整可能とするステップ（３）と、
前記高さ調整部材により前記支持脚の高さ調整がなされ、前記パネル部材が配設された後であって、該パネル部材が該支持脚上面部から離脱されても、該パネル部材の四隅と該支持脚の上面部との係合構造によって、前記離脱前の元の支持脚上面位置に、元のパネル部材の隅部が係合設置可能となるステップ（４）と、
を有することを特徴とする二重床構造の施工方法。
【請求項６】
請求項５記載において、
前記ステップ（４）は、前記係合構造により、前記パネル部材が前記支持脚上面部から離脱された後、該パネル部材を再設置する際に前記離脱前の元の支持脚上面部位置でなく、該パネル部材が係合設置できない場合は、前記パネル部材の敷設方向が一定となる様に該パネル部材をあらためて係合させ、パネル隅部を支持脚係合部に適合する元の設置位置に合わせることを特徴とする二重床構造の施工方法。
【請求項７】
請求項５又は６記載において、
前記ステップ（１）は、前記複数の支持脚を、床面Ｆに立設する際には、全て共通する特定の方向へ向きを合せて行い、
前記ステップ（２）は、前記複数のパネル部材を、前記立設された支持脚間に架設し該支持脚の上面部に載置する際、前記ステップ（１）にて前記特定した方向に対応した向きで配設する様に行い、
前記複数の支持脚と前記複数のパネル部材との設置方向を一致させるようにしたことを特徴とする二重床構造の施工方法。
【発明の詳細な説明】
【０００１】
【発明の属する技術分野】
本発明は、二重床構造、特に、ＯＡフロア用の床パネルを支持する支持脚とパネルとの係合構造及びその二重床構造の施工方法に関する。
【０００２】
【従来の技術】
ＯＡフロア用のフリーアクセスフロア技術分野において、電算機室ＯＡ機器対応用として支持脚型パネルが古くから知られ、現在に至るまで多種多様な構成のものが広く用いられている。
特に、建物の既設の床スラブが、不陸（凹凸部）を有するのが頻繁であるが故に支持脚の高さを自在に調整可能とし、パネル敷設時に高さを調整しながらＯＡフロアの施工が行われている。この種の支持脚の高さ調整機構を有する二重床パネルには、主に支持脚の支柱一体型（パネルと支持脚とが一体的に固着された構造）、支柱分離型（パネルと支持脚とが別体で分離可能な構造）に大別されている。
従来においては、この様な支持脚型二重床パネル、例えば支柱分離型において、独立支柱タイプの高さ調整式では、ＯＡフロアを敷設施工後に、不陸調整により高さ調整された多数のパネルを、オフィスレイアウトの変更や配線器具の設置、配線移増設等の変更に伴い支持脚を取り外したり取り付け直す必要性を生じている。
【０００３】
又、パネル敷設の対象となる建造物の構造によっては、その床スラブ全体が長期の経時変化によりたわみ（クリープ現象）を生じ易い。
その様な状況の床スラブ上に二重床パネルを設置した場合には、支持脚（支柱）の高さ調整によってパネル面を一様に平坦化させる作業が、現場施工の必要上広く行われている。
逆に、二重床パネルを設置した敷設後においても、上述のクリープ現象、或いは上部に載置した什器や備品移動等によって、パネルが反ったり、撓んでしまったりすることがある。更には、長期の経時変化（例えば、上部載荷による重量負担等）で不陸に馴染んだ状態のままパネル自体が変形してしまう場合もある。
この様な状況において、コンセント器具の移増設、取り替えやレイアウト変更等の何らかの理由でパネルを取り外した時、二重床内の移増設、取り替え後そのパネルを元に戻す施工作業で、誤って元のパネルの敷設方向と異なった敷設方向でパネルを敷設してしまう場合がしばしば起こり得る。このような事態の生ずる原因としては、同一個所のパネル敷設作業に複数の異なった施工業者が時間的にバラバラに関与すること等が挙げられる。
【０００４】
この際、パネルの元の敷設方向が、床面の不陸に対して平坦性を有し、ガタツキ等が生じない様に調整された、いわゆるなじんだ状態であったものを変えてしまうことになる。この様にしてパネルの敷設方向を、元の敷設方向と異なった方向で敷設してしまうと、二重床構造（支持脚上に設置されたパネル）のガタ、段差などが生じることが多々あり、あらためて支持脚の高さ調整をやり直す必要が生じることとなる。
この場合の高さ調整は、パネル１枚に対し少なくとも支持脚４本のうち１本を調整する必要が生じる。当然、段差や不陸の状態によっては、隣接するパネル数枚分の支持脚の高さ調整もせざるを得ない場合も有り得ることとなる。最悪の場合、外したパネル全てを再調整しなければならない状況もありうる。そのような場合は、結局、施工作業の大幅な時間延長等により余分な手間とコストを要することとなる。
すなわち、この種の二重床ＯＡフロアでは、コンセント器具の移増設、取り替えやレイアウト変更等に自在に対応可能であるが故に、かえって、施工作業が大掛かりとなる。こうなると、もはやユーザーが、パネル取替えの施工作業を簡単に行えるものではなくなってしまい、専門の施工業者が必要となる結果、余分な施工時間やコストを要するという問題を有する。
【０００５】
勿論、例えばレイアウト変更等で生じる配線の移・増設等でユーザーが施工作業を行う際には、取り外したパネルの敷設方向を間違えずに元の向きに収めることができる様に注意するなどして、この様な事態を回避する様に対応することが必要となり、実際にも可能な範囲で注意は払われてきた。
ところが、この様な二重床パネルの施工作業において、ユーザーが全ての施工作業を行うには限界があり、結局、施工費用がかかっても専門業者に依頼するか、或いは、ガタついてしまう状態のままで施工されてしまう事態が生じていた。
【０００６】
この様な事態に対処し、その不具合を解消すべく、以下のようなＯＡフロアが公知技術として既に知られている。
▲１▼　支持脚の形態を変えて敷設方向を特定可能にする支持脚一体型二重床パネル構造（特開平６−１０４９０、実開平６−４７４７９、実開平５−１９４２７、実開平４−１２５３３０、実開昭６４−３６４４７等）。
▲２▼　パネルの形態を変えて敷設方向を特定する二重床構造（実開平１−９８８４４、実開昭５３−１０９３２０等）。
▲３▼　パネル表面に施工方向が識別できる様な表示が付されている支持脚一体型二重床パネル構造（実開平６−６３７２６（登録番号第２５９２４８４号）。
【０００７】
【発明が解決しようとする課題】
しかしながら、これら改良型の床パネルにおいても、以下の様な種々の限界があり、なお問題点として残っていた。
問題点１：
上記▲１▼の公知技術では、支持脚を少なくとも２種類用意する必要があり、材料を余分に要する結果製造コストが余分にかかり別のコストアップの一因になっていた。更には、各支持脚を設置するに際し、支持脚に共通の方向性を要するため施工に手間と時間がかかった。
【０００８】
問題点２：
又、この種の支持脚一体型パネルの場合には、高さ調整する機構を、構造上の理由で１つしか持たないから、高さ調整ができない他の３つの一体型支持脚が、床スラブの不陸（凹凸部）に乗り上げてしまった場合には、高さ調整可能な１本の支持脚だけの高さ調整しかできず、これでは、パネル面を確実に平坦化させることができなかった。
即ち、１つの支持脚による高さ調整では、不陸の調整可能範囲に限界があった。例えば、不陸調整は出来ても隣接するパネル同士に段差が生じてしまい一様に平坦化できない等の不具合が残り、課題の解決は必ずしも充分とは言い難かった。
【０００９】
問題点３：
一方、上記▲２▼の公知技術では、パネルの形態を変えて敷設する構成（異形パネル）では、パネルの構造が複雑になり、その異形パネル形状によって、床構成部材としての強度面の信頼性を保持し、製造上のコストアップを防止し、パネルの梱包、移動・搬送等を達成することが、円滑に行なえない等の欠点を有していた。
【００１０】
問題点４：
更に、上記▲３▼の公知技術では、パネル表面に施工（敷設）方向が識別できる表示が付されているから、一見、単純にこの種の問題点を解決できる様に思われるが必ずしもそうとは限らない。例えば、最初のパネル施工時に、施工専門業者がパネルの施工方向を識別表示にしたがって確実に施工できたとしても、後の電気配線業者等が、配線器具や配線敷設工事の際に、パネルを脱着する時その識別表示のみでは確実にパネルの敷設方向を合わせる様には敷設しない事態が生じかねない。
【００１１】
これはパネル施工業者の問題ではなく、電気工事・配線業者の問題であるがこれらの識別表示は、必ずしも施工業者やユーザーの誰にも容易に理解し易いものとは限らない。すなわち、識別表示を十分に認識できなければ、識別表示を誤って、パネルを敷設してしまうこととなる。この様な場合、誤った敷設方向のままでパネルを敷設してしまう結果を招く。
【００１２】
つまり、上記▲３▼の公知技術での手段は、誤った敷設方向でもパネルを何ら支障なく敷設できてしまう点に問題があり、作業時間に追われる等で施工者が気付かなければそのままとなってしまう。
また、この施工方法、構造では、パネル表面に簡単、且つ確実に識別表示を付す構造としなければならない。しかも、パネル表面に凹凸がなく平坦性を損なわず、仕上材としてのタイルカーペット等の敷設（粘着材の接着性）に悪影響を及ぼさず、また、容易に剥がれたり、消えたりしないような構造にしなければならない。更に、これによって、パネルのコストアップになってはならない等の種々の制約があり、これらの問題点を全て解消することは容易では無くむしろ困難であった。
【００１３】
この種の従来技術▲１▼▲３▼は、いずれもパネルの敷設方向の特定を考慮し得る構造技術である。
言いかえれば、パネルの敷設方向を誤ってしまった場合でも、施工者自身が気付かない恐れがあり、そのまま結果としてパネルの敷設方向を正しく設定し直すという作業がされないままでパネルの敷設を完了するという大きな問題点が未解決であった。
【００１４】
発明の目的
本発明は、上記諸課題の解決のために成されたものであり、その目的は、二重床パネル敷設後において、一旦、取り外したパネルを元の敷設状態の位置に戻す施工作業が、簡単、且つ確実にでき、しかも、パネル及び支持脚も簡単な構成であって、低コストで製造できる二重床構造及びその施工方法を提供することにある。
【００１５】
【課題を解決するための手段】
本発明に係る二重床構造は、第１の発明は、所定間隔をあけて床面Ｆに立設され、上面部（１０ａ）を有する複数の支持脚（１０）と前記支持脚間であって該支持脚（１０）に架設され前記上面部（１０ａ）に敷設される複数のパネル部材（２０）と、を有し、敷設後のパネル部材（２０）離脱時に前記支持脚（１０）が、前記床面側に残る支持脚分離型の二重床構造において、
前記支持脚（１０）の上面部（１０ａ）と前記パネル部材（２０）の裏面隅部（２０ａ）とは、前記パネル部材（２０）の敷設方向が特定される様に、該上面部（１０ａ）で集合される多数のパネル部材隅部（２０ａ）の係合が異なる係合構造（３０）で構成されたことを特徴とする。
また、前記係合構造（３０）は、前記支持脚（１０）の上面部（１０ａ）と前記パネル隅部（２０）とが略凹凸形状で係合する係合部（３０）を形成して成ることを特徴とする。
更に、前記係合構造（３０）は、前記支持脚上面部（１０ａ）と該上面部に集合される各パネル部材の隅部（２０ａ）とが、夫々異なる形態、異なる大きさ、異なる位置関係の少なくともいずれかにより係合されてなることを特徴とする。
【００１６】
そして、第２の発明は、床面Ｆに設置される基台（５）上に、所定の高さ調整機構（４０）を有する複数の支持脚（１０）を所定間隔をあけて立設し、各支持脚上方には、敷設される所定のパネル隅部（２０ａ）を係合設置する支持脚係合部を有する支持脚ユニット（１）と、床面上の所定位置に複数設置された支持脚ユニット（１）相互間であって、該各支持脚係合部により四隅部（２０ａ）が係合支持されるパネル係合部を有するパネル部材（２０）と、を有し、前記支持脚ユニット（１）は、前記各支持脚係合部と前記パネル係合部とにより前記複数のパネル隅部を夫々集合させて係合し、前記複数のパネル部材（２０）を前記支持脚上に支持して構成された二重床構造において、
前記各支持脚係合部は、その少なくとも１つの係合部（１０ｃ）が、他の係合部（１０ｂ）と異なる係合構造で形成され、
前記パネル係合部は、その四隅部（２０ａ）が前記１つの係合部（１０ｃ）と前記他の係合部（１０ｂ）に夫々対応する様に異なる係合構造の係合部（２０ｃ、２０ｂ）で形成され、前記異なる形態の支持脚係合部と、その対応する前記異なる形態のパネル係合部との係合によって、前記パネル部材の敷設方向が特定される様に構成されたことを特徴とする。
【００１７】
本発明に係る二重床構造の施工方法は、第３の発明として、所定の上面部（１０ａ）を有する支持脚（１０）を、所定間隔をあけて複数個、床面Ｆに立設するステップ（１）と、前記立設された支持脚（１０）間に架設され該支持脚（１０）の上面部（１０ａ）に載置されるパネル部材（２０）を、平面状の床面を形成する様に複数配設するステップ（２）と、前記支持脚（１０）の立設時、又はパネル部材（２０）の配設時に、前記床面（１）から上面部までの支持脚（１０）の高さを所定の高さ調整部材（４０）により調整可能とするステップ（３）と、前記高さ調整部材（４０）により前記支持脚（１０）の高さ調整がなされ、前記パネル部材（２０）が配設された後であって、該パネル部材（２０）が、該支持脚上面部（１０ａ）から離脱されても、該パネル部材（２０）の四隅（２０ａ）と該支持脚（１０）の上面部（１０ａ）との係合構造（３０）によって、前記離脱前の元の支持脚上面（１０ａ）位置に、元のパネル部材（２０）の隅部（２０ａ）（所定の敷設方向）が係合設置可能となるステップ（４）と、を有することを特徴とする。
また、前記ステップ（４）は、前記係合構造（３０）により、前記パネル部材（２０）が前記支持脚上面部（１０ａ）から離脱された後、該パネル部材（２０）を再設置する際、前記離脱前の元の支持脚上面部（１０ａ）位置でなく、パネル部材（２０）が係合設置できない場合は、前記パネル部材（２０）の敷設方向が一定となる様に該パネル部材（２０）を回転させ、その隅部（２０ａ）を適合する元の設置位置に合わせることを特徴とする。
更に、前記ステップ（１）は、前記複数の支持脚（１０）を、床面Ｆに立設する際には、全て共通する特定の方向へ向きを合せて行い、前記ステップ（２）は、前記複数のパネル部材（２０）を、前記立設された支持脚（１０）間に架設し該支持脚（１０）の上面部（１０ａ）に載置する際、前記ステップ（１）にて前記特定した方向に対応した向きで配設する様に行い、前記複数の支持脚（１０）と前記複数のパネル部材（２０）との設置方向を一致させるようにしたことを特徴とする。
【００１８】
【作用】
本発明に係る二重床構造は、パネル隅部と支持脚上面部との係合において、該パネルの少なくとも１つの隅部が他の隅部と異なる係合構造とした。これによりパネルの敷設方向が、所定の一方向に共通して特定され、その一方向のみしかパネルが支持脚上に設置できない構造とした。
また、その施工方法は、パネルの着脱に際して、パネルの敷設方向を誤ってしまった時に、支持脚上面へのパネルの敷設が構造的に不可能となる。
その結果、敷設施工者自身が気付いて、パネルの敷設方向を設定し直すという作業が自然に行え、いずれのパネルも敷設方向の特定が簡単、且つ確実にできることと成る。
【００１９】
【実施例】
本発明の好適な具体的実施例を、以下、図面を用いて詳細に説明する。
発明の主旨。
本発明に係る第１の特徴的事項としては、支持脚１０の上面部１０ａと、パネル隅部２０ａの裏面とは、パネル２０の敷設方向が特定される様に、前記パネル２０の四隅部分において異なる係合構造３０（３０ａ、３０ｂ）で構成されたことにある。
そして、この係合構造は、前記支持脚１０の上面部１０ａと、パネル隅部２０ａとで係合する略凹凸形状で係合する係合部３０（３０ａ、３０ｂ）を形成する事を特徴としている。
また、この係合部３０は、異なる形態や大きさ、異なる位置関係に対応して係合する事を特徴とする。
更に、これらの係合構造は、支持脚１０の上面部１０ａと、パネル裏面隅部２０ａとの係合部分を、１ヶ所のみ、２ヶ所、或いは４箇所全てを変えることにより形成する事を特徴とする。
【００２０】
次に、本発明に係る第２の特徴的事項は、支持脚ユニット１の立設時又はパネル部材２０の配設時に、支持脚１０の高さを所定の高さ調整部材４０による調整後であって、パネル部材２０の設置後、該パネル部材２０が支持脚１０の上面部１０ａから離脱されても、再度の着脱における該パネル部材２０の四隅と該支持脚１０の上面部１０ａとの係合によって、前記離脱前の元の支持脚上面部１０ａの敷設方向位置に係合設置可能としたことである。
【００２１】
実施例の具体的説明。
前述した先行技術▲１▼▲２▼▲３▼においては、パネル２０を持ち上げた時に支持体がパネル側に付いている支持脚一体型パネルであった。
しかし、本実施例において採用する二重床構造は、図４のパネル２０を支柱、或いは支持脚１０で支持し配線空間を形成する二重床構造である。特に、パネル２０を持ち上げた時に上記支柱或いは支持脚１０等の支持体（支持脚ユニット１）が、その建物の床スラブ側に残る支持脚分離型パネルである。
【００２２】
構造の説明。
以下、図面に基づいて、本発明の実施例を詳細に説明する。
図１は、本発明に係る第１実施例の主要構成を示す支持脚ユニット１とパネル部材２０を一部拡大した斜視図である。
図２は、図１に示す床面に立設された４つの支持脚ユニット１に１枚のパネル部材２０が設置された状態を示す平面図である。
図２Ａ、図２Ｂ、図２Ｃは、図１における支持脚ユニット１の上面部１０ａの他の実施例を示すものであり、支持脚のパネル係合部分の構造、形態が異なる構成を示したそれぞれの平面図である。
【００２３】
図３は、支持脚ユニット１が、図１と異なる第２の実施例の主要構成を示す支持脚ユニット１とパネル部材２０の一部を拡大した斜視図である。これらの例は、支持脚ユニット上面部１０ｂ、１０ｃの大きさが、支持脚によって異なる場合の例を示したものである。
図４は、図３の側面断面図であり、支持脚ユニット１とパネル部材２０との係合状態を示した図である。
【００２４】
図５は、図３に示した支持脚ユニット１の他の実施例を示した支持脚ユニット１の斜視図である。
図５Ａ、図５Ｂは、図５の異なった太さを有する支持脚部分それぞれの側面部分縦断面図であり支持脚１０に上面部１０ａがねじ込まれた状態を示した状態図である。
図６は、図３、図５に示す支持脚ユニット１、パネル部材２０を適用し二重床を構成した場合の平面図であり、２枚のパネル部材２０を支持脚ユニット１から離脱させた状態を示した状態図である。
図７、図７Ａ、図７Ｂ、図７Ｃ、図７Ｄは、図１に示した支持脚ユニット１の上面部１０ａを変えた係合構造の他の例であり、それぞれ２０個の支持脚ユニットに１２枚のパネル部材２０を係合設置した状態を示した平面図（図７）、支持脚ユニット１の側面縦断面図（図７Ａ），及びその上面部１０ａの平面図（図７Ｂ）、パネル部材２０の平面図（図７Ｃ）及びその側面図（図７Ｄ）である。
【００２５】
図８、図８Ａ、図８Ｂ、図８Ｃは、図７と異なる上面部１０ａの構造を備えた支持脚ユニット１の他の例であり、それぞれ、９つの支持脚ユニット１に４枚のパネル部材２０を係合設置した状態を示した平面図（図８）、支持脚ユニット１の断面図（図８Ａ）、及びその上面部１０ａの平面図（図８Ｂ）、パネル部材２０の平面図及びその側面図、一部Ａ−Ａ断面図（図８Ｃ）である。
【００２６】
図９、図９Ａ、図９Ｂ、図９Ｃは、図７、図８と異なる上面部の構造を備えた支持脚の他の例であり、それぞれ、９つの支持脚ユニット１に４枚のパネル部材２０を係合設置した状態を示した平面図（図９）、支持脚ユニット１の断面図（図９Ａ）及びその上面部１０ａの平面図（図９Ｂ）、パネル部材２０の平面図及びその側面図（図９Ｃ）である。
図１０〜図１４は、本実施例に係る支持脚ユニット１及びパネル部材２０を設置する施工の態様を示した例であり、前記図９の支持脚ユニット１及びパネル部材２０を用いて施工方法を説明した説明図である。
それぞれの図について言えば、図１０は、床面Ｆに支持脚ユニット１を設置するための墨出し状態を示した平面図、図１１は、複数の支持脚ユニット１の設置方法を示す平面図及び上面部の一部拡大平面図、図１２は、支持脚ユニット１の高さ調整方法を説明する一部断面を示した側面図、図１３は、支持脚ユニット１上にパネル部材２０を設置した状態を示した平面図、図１４は、支持脚ユニット１上のパネル部材Ｐの４枚（Ｐ０）を離脱させた状態を示す既略平面図である。
【００２７】
第１実施例の説明
次に、以下、本発明の好適な実施例を上記の各図を用いて順次、詳細に説明する。
図１において、この支持脚分離型二重床構造は、パネル四隅部２０ａに係合部３０ａが形成されたパネル２０と、そのパネル２０の係合部３０ａに対応した異なる係合部３０ｂを有する支持脚ユニット１とからなり、この支持脚ユニット１は、更に、係合部３０ｂを有する台座部１１及び受け部１２とから構成された上面部１０ａと、それにねじ込み可能に設けたボルト脚である支持脚１０と、床面Ｆに固定される基台５とからなる。
そして、この支持脚分離型パネルの二重床構造は、支持脚ユニット１の上面部１０ａは、台座部１１上の受け部１２が、パネル隅部２０ａを支持する係合（嵌合）構造となっており、かつ、その支持脚ユニット１は、ナット部材を形成する上面部１０ａと、そのナット部材にねじ込み可能とするボルト脚でなる支持脚１０とのねじ込みによって、床面のパネルの高さ調整が可能となる高さ調整機構４０を有している。
【００２８】
即ち、図１に示すこの支持脚ユニット１は、パネル２０の４隅部２０ａに形成された４つの係合部分に、それぞれ対応する様に、係合可能となる４つの係合部分として受け部１２を形成した上面部１０ａを有する。
この上面部１０ａは、集合する４つの異なったパネル隅部２０ａ裏面を、１つの支持脚で受け、その上面で４つの集合する各隅部２０ａをそれぞれ係合、支持する構成となっており、立設された支持脚としてのボルト脚上端部分にナット部としてねじ込みにより設置されている。
このボルト脚上端部分には、床の高さ調整機構４０として、例えば＋（プラス）又は−（マイナス）ドライバーなどの所定の工具で回転操作によりボルト脚頭部を回動可能とし、前記パネル２０を受けている上面部１０ａを上下動させることによって二重床高を自在に調整可能とするものである。
【００２９】
ここで、図１に示す様に、支持脚１０の上面部１０ａと、パネル２０の隅部２０ａとの係合構造３０は、略凹凸形状で嵌合する１つの構成、窪み構造３０ａと突起構造３０ｂによる嵌合構造と、その様に嵌合することなく単にパネル隅部２０ａを平面で受ける３つの構成、パネル隅部２０ａと受け部１２による嵌合構造と、で行われいずれも異なる前記係合部分の構造を採用している。
これは、図１で示す様に、例えば、台座部１１上に略十字状リブを立設形成し４つのパネル隅部２０ａをそれぞれ受ける様に４分割された受け部１２を形成して上面部１０ａを構成することにより可能としている。
【００３０】
図２は、パネル１枚を４つの支持脚ユニット１で支持した状態を示している。図示の様に、パネル隅部２０ａと支持脚上面部１０ａとの係合はパネル４隅部の１ヶ所の略凹部３０ａと、該上面部１０ａの略４分割されたうちの１つの受け部１２に形成された該凹部３０ａに対応する略凸部３０ｂと、の両者の嵌め合いによって構成され、パネル４隅部の他の３ヶ所は、該上面部１０ａの略４分割されたうち他の３つの受け部１２との両者の嵌め合いにより構成される。
図１、２は、１ヶ所のみの係合構造３０（３０ａ、３０ｂ）を変えた例である。したがって、この両者の前記略凹部３０ａと前記略凸部３０ｂとの係合がされない状態で、パネル２０が設置されようとすると、即ち、パネル２０の設置位置、嵌め込み状態が間違っている場合、例えばパネル隅部２０ａの平面が、支持脚１０の上面部１０ａの前記略凸部３０ｂの位置に設置された場合には、正しい嵌合が行われずその平面が前記略凸部３０ｂに乗り上げて支持脚上面部１０ａ上でパネル２０の浮き、ガタツキを生じることとなる。
そうすると施工者は、正しくパネル２０が支持脚上に安定設置されていないことに気付き、パネル２０の係合位置関係を修正しようとする。つまり、この例では、パネル２０を配置換えしてパネル隅部２０ａが前記略凹部３０ａの位置で適合する様に設定し直しする作業を自然と行える。
【００３１】
図１では、上面部１０ａ側の前記略凸部３０ｂを円筒状突起構造とし、パネル隅部側の前記略凹部３０ａが、これに対応する円筒状の窪み構造としたが、図２Ａでは平面視略四角柱状突起構造に、図２Ｂでは平面視略三角柱状突起構造に、図２Ｃでは平面視略１／４円柱状突起構造にした例を示したものである。　それらの形状は任意であり基本的な作用効果は図１と同様である。因みに、図２Ａ，図２Ｂ，図２Ｃにおいて、各平面視突起構造の面積が大なるほどパネルは安定し、面積が小なるほど素材の使用量を節減できる。
【００３２】
第１実施例の他の例
（上面部１０ａにおける窪み部と突起部の位置変更例）
次に、図７〜図９は、前述した図１の支持脚上面部１０ａとパネル隅部２０ａとの係合を示す係合構造３０の変形例である。特に、支持脚上面部１０ａの前記略凹部、前記略凸部の嵌合部分の少なくとも１つ以上の位置、大きさや形態を変更した例である。
図７は、上面部１０ａとして台座１１を平面視円形状とし、その上面には４つの円筒状突起３１ｂを設けるが、このうちの、いずれか１つの該円筒状突起３１ｂを異なる配置又は間隔となる様に位置変更して突起部３１ｂ’として配置し、パネル隅部２０ａは、設置時に突起部３１ｂに対応する位置に円筒状の窪み部３１ａを設けたものである。
この両者、円筒状の突起３１ｂ，３１ｂ’と円筒状の窪み部３１ａ、３１ａ’とがパネル設置時に特定の一方向の向きで係合、嵌合する構造になっている。この構成は、他の突起部３１ｂ’及び窪み部３１ａ’位置に対して１つの突起部３１ｂ’だけの位置関係のみを変更し、相互の間隔を異なる様に配置するだけで、全て共通する係合構造が可能であり、これらにより構造の簡単化、製造の容易化を図ることができる。
【００３３】
図８は、図８Ａに示す様に、平面視円形状台座１１の上面部１０ａの上面に、２つの対を成す２種類の異なる係合構造３１ｂ、３２ｂを形成した例である。
これは、まず突起部の１対は、図７と同様、２つの円筒状突起３１ｂを一定の等間隔に、相互に共通する位置関係で配置し、次に他の１対は、ボルト脚の先端領域部分を含んで、平面視略三角形状に形成された三角柱状突起３２ｂを上面部１０ａと一体的に対向配置したものである。対するパネルの四隅部２０ａは、それぞれ対応して、図８Ｃに示す様に、１対の前記三角柱状突起３２ｂが嵌る切欠き部３２ａが設けられる。更に前述したと同様にして、１対の円筒状突起３１ｂが嵌る円筒状の窪み部３１ａが設けられ、パネル２０の四隅について対を成した２種類の異なる係合部で構成されている。
この構成は、２種類の異なる形の係合構造３２ａ、３２ｂ，３１ａ、３１ｂを採用したことにより支持脚の設置、パネル敷設時に、これらの向きを施工者に容易に知らしめることができ、係合構造も比較的簡単であることから容易に製造することができる。
【００３４】
図９は、前記図１、図７、図８と異なる他の例であり、特に、支持脚上面部１０ａには異なる形態の異形状突起３２ｂ、３３ｂ、３４ｂ、及び前記パネル受け部１２とから成る構造を示したものである。例えば、図９に示す様に、突起形状無しの受け部１２、平面視略三角柱状突起３２ｂ、平面視略１／４円柱状突起３４ｂ、平面視略四角柱状突起３３ｂで構成した例を示した。
これに対し、パネル隅部２０ａには、受け部１２及び前記の各突起３２ｂ、３４ｂ、３３ｂに、それぞれ嵌合して対応する４つの異形状切欠き部、パネル隅部２０ａ及び３２ａ、３４ａ、３３ａを構成した係合構造を示す。
前述したこれらの構造によれば、支持脚側上面部１０ａ及びパネルの四隅部２０ａは、それぞれ一体成形等で形成でき、非常に構造が簡単で、設計、製造も容易である。
【００３５】
以上、これら他の実施例では、１つの支持脚で４つの相互に隣接したパネル２０の隅部２０ａをそれぞれ異なる嵌合構造で集合して受ける構造であるが、支持脚１０はパネル上方から工具等により高さ調整可能とする高さ調整機構を有するものとした。
また、パネル２０は、その隅部２０ａの一部分を変えただけで構造を簡単化できるので外形形状は極力変えず、工数を増加する異形形状としない構成を採用し、係合するパネル隅部２０ａの構造も凹部構造とした。
これらの構成は、いずれもこれら実施例に限定するものではなく、本発明の範囲内において要旨を変更しない範囲で種々の変更は可能である。例えば、上記の実施例におけるパネルと支持脚の凸部（突起）と凹部（窪み）を取り替えた形で、即ち凸部を凹部に形成し、凹部を凸部に形成する形で係合機能を構成してもよい。
【００３６】
第２の実施例の説明
更に次には、図３〜図６を用いて、前述した図１とは異なる他の形態、構成からなる支持脚分離型による二重床構造を以下に示す。
これら図示の支持脚ユニット１は、床面Ｆ上に所定の接着剤等を用いて設置される基台５の上に、４つのパネル隅部２０ａを集合して係合支持する様に一定の間隔で立設された床面のパネル高さ調整が可能となる高さ調整機構４０を有する４つの支持脚１０と、その支持脚１０の上端にねじ込んで設けられる高さ調整用ナット１０ｘとパネル受け部１２とから成る上面部１０ｂ、１０ｃとによって構成されている。
尚、パネル部材２０は、前記上面部１０ｃ、１０ｂに対応する様に、それぞれの四隅２０ａには係合孔２０ｃ、２０ｂで係合構造が形成されている。この係合孔２０ｃ、２０ｂは、図示（図３）の様に、パネル２０を貫通した貫通孔となっている。
ここで、前記支持脚１０の上面部１０ｃ、１０ｂと、該上面部１０ｃ、１０ｂで集合される多数のパネル隅部２０ａとは、該パネル隅部２０ａの２種類の異なる係合孔２０ｃ、２０ｂと該上面部１０ｃ、１０ｂとによって係合構造３０が構成されており、該パネル部材２０の敷設方向が特定される。
【００３７】
即ち、これら係合構造３０は、図３、図４に示す様に、支持脚部分は共通しているが支持脚側の上面部１０ｃ、１０ｂが形態はほぼ同じであるものの大小の径寸関係で異なっている。そして更に該上面部１０ｃ（太柱）、１０ｂ（細柱）を形成するナット部の大きさの大小関係を変えたものであり、そのナット部の大きさに対応して形成された集合されるパネル部材四隅の係合孔２０ｃ（太孔）、２０ｂ（細孔）に嵌る構造となっている。
ここで、この支持脚ユニット１は、その支持脚上面部１０ｃ、１０ｂであるそれぞれの高さ調整用ナット部の上面部分には、支持脚１０の高さ調整が可能となる所定の高さ調整用工具１０ｙが挿入可能な工具挿入口１０ｘが設けられている。図３、図４の例では、工具１０ｙは６角レンチ、工具挿入口１０ｘは６角形状の開口となっている。
これにより、パネル部材２０の高さ調整の際には、パネル部材隅部２０ａの上面からこの６角レンチを、ナット部の上面部に形成された６角形状開口１０ｘに差込み、図示矢印の様に、ねじ回しにより回転させてナット部を上下動させ上面部１０ｃ、１０ｂを上下に移動させて調整する（図３を参照）。
【００３８】
第２実施例の他の例
次に、前記図３、図４と異なる他の例を図５、図５Ａ、図５Ｂを用いて説明する。
前述した図３、図４が、支持脚１０の太さを変えずにナット部の上面部分１０ｂ、１０ｃのみの大きさを変え、これに合わせてパネル４隅の係合孔２０ｂ、２０ｃの大きさを係合可能に対応する大きさに変更したものであったが、図５は、支持脚１０、そのものの大きさ、太さを変えたものである。
即ち、図５、図５Ａ、図５Ｂに示す様に、図３とは、支持脚１０及びその上面部構造を異ならしめ、パネル部材２０のそれぞれの四隅２０ａには係合孔２０ｃ、２０ｂで係合部３０が形成され、同じ構成とした係合孔２０ｂ、２０ｃは、パネル２０を貫通した貫通孔となっている。
支持脚１０の高さ調整機構４０としては、図１に示すものと同様に、支持脚１０を、図示しない所定の工具（ドライバー等）で回転させて高さ調整するものとする。
【００３９】
図６は、図３、図４或いは図５に示す床面Ｆに多数敷設した支持脚ユニット１上に、多数のパネル部材２０を敷設した状態を示す平面図であり、図示例では、２枚のパネル部材２０が外されている状態、或いは、まだ敷設されていない状態を示すものである。
外されている２枚のパネル部材２０は、支持脚上に敷設する際には、異なる大きさの支持脚上面部１０ｂ、１０ｃに、それぞれ対応するパネル部材２０の隅部２０ａの開口孔２０ｂ、２０ｃが一致する様にパネルの向き、敷設方向を合わせて敷設する。その時、目安としては、パネルの開口孔２０ｃが２０ｂよりも大きく形成されているため、これを基準に敷設方向を合せるのが好適であり、図６の例では、平面図右下側位置に開口孔２０ｃが来る様に敷設すれば、パネル部材２０の敷設方向を全て合わせることが可能となる。
尚、本実施例では、図３〜図６において、支持脚ユニット１の支持脚上面部１０ｃ又は、支持脚１０の１本の大きさを大きくした場合、或いは太さを太くした場合について説明したが、逆に、その１本の大きさを小さくしたり、細くしても良い。
【００４０】
要は、前記パネル部材２０の敷設方向が特定される様に、前記支持脚上面部１０ａと、前記パネル部材隅部２０ａとを、該上面部１０ａで集合される多数のパネル部材隅部２０ａの係合が異なる係合構造３０であれば、どの様な構成でも良いのである。　また、本実施例では支持脚分離型の二重床構造において、支持脚ユニット１を、基本的には図１と図３、図５との２タイプを例に取り上げて説明したが、これらの実施例の構成のみに限定されるものではない。基本的に支持脚分離型であれば、どのような構成でも良い。
尚、本実施例ではいずれもパネル相互を突き合わせにより敷設した場合の例を取り上げて説明したが、パネル相互に一定の間隔をあけて配線通路、或いは配線溝を形成し、その上面開口を覆うカバー材として直線部カバー板、交差部カバー板を適用した溝工法の配線溝型の複合型二重床にも応用することができ、これら使用される支持脚〜パネルの係合、嵌合構造にも利用することが可能である。
【００４１】
第３の実施例の説明
施工方法の説明。
次に、図１０〜図１４を用いて、本実施例に係る施工方法の一例を詳細に説明する。
即ち、本実施例における施工方法の主旨は、以下の様になる。
▲１▼墨出し　　⇒　　▲２▼支持脚の立設・固定　　⇒　　▲３▼支持脚のレベル出し・調整　　⇒　　▲４▼パネルの敷込み　　⇒　　▲５▼支持脚のレベル調整。
【００４２】
▲１▼墨出し
まず、図１０に示す様に、支持脚１０又は支持脚ユニット１を床スラブＦ面に多数のパネル部材２０を支持、敷設可能とする様に立設するため、ほぼパネル幅寸法の所定間隔毎に設置可能となる様に、位置決め用の墨出しを行う。
【００４３】
▲２▼支持脚の立設・固定
次に、図１１に示す様に、その床面Ｆ上の墨出し線の各交差部に、支持脚ユニット１を立設固定するため、接着材、例えばコンクリート等の硬化性充填接着剤を塗り付け、その上から支持脚ユニット１を設置し押圧固定する。
その固定の際、支持脚ユニット１の全ては、その台座部１１及び受け部１２を、例えば、基台部５に設けられた目印（例えば図１、図３、図５の図示矢印↑で示す）を基準にして、所定の方向にあわせる様に設置し固定することになる（　尚、本図示例では、その台座部１１及び受け部１２としての上面部１０ａの構造を、図９Ａのものを適用して説明した。）。
この施工作業は、後のパネル部材２０を一定方向にあわせて施工する際の作業との関連で非常に重要となる。
【００４４】
▲３▼支持脚のレベル出し・調整
更に、図１２に示す様に、全ての支持脚ユニット１の立設・固定が完了したら、支持脚１０の高さ調整機構４０を用いて、パネル面となる台座部１１及び受け部１２の上面部１０ａの位置、或いは支持脚上面位置のレベル調整を行う。　このレベル調整は、全支持脚ユニット１に対し、例えば図示↓の様に、ドライバー等の工具を用いて支持脚ユニット１の上部よりボルト脚を回転させながら行う。
【００４５】
▲４▼パネルの敷込み
最後に、図１３に示す様に、パネル２０全てを支持脚上（その台座部１１及び受け部１２）に敷設、施工する。この際、パネル２０は、パネル敷設の方向性をもたせて一定方向に合わせて敷き込む。　これによって、パネル２０の各隅部２０ａが、対応する各支持脚ユニット１の上面部１０ａの位置に正しく係合されることとなり、支持脚１０とパネル２０とが係合され確実に設置されることとなる。
【００４６】
尚、この係合構造については、前述した様に、例えば図９で説明した通りである。
ここで、もしパネル２０が、支持脚上に正しく設置されない場合、係合しない場合又は浮き上がりやガタツキ等が生じた場合は、上記支持脚１０の台座部１１及び受け部１２を、所定の方向にあわせる様に再度設定し直すか、又はパネル２０を平面視で回転させる様にして、あらためて係合させてその台座部１１及び受け部１２の上面部１０ａの係合部３２ｂ、３３ｂ、３４ｂ、及び受け部１２と、パネル隅部２０ａの係合部３２ａ、３３ａ、３４ａ及びパネル隅部２０ａとの係合関係を一致させることにより、その両者が正しく係合される位置で設置することが可能となる。
【００４７】
以上の施工作業によって、簡単且つ確実に、しかも、パネル施工の際のパネル２０の方向性を施工作業者が誤った場合でも、パネル２０が支持脚上に嵌らなくなるのでその係合状態によってパネル２０と支持脚ユニット１との設定の不整合を容易に認知する事が可能となる。
▲５▼支持脚のレベル調整
尚、必要に応じて、パネル上面にタイルカーペット等の仕上材を敷き込む前に、例えば配線敷設工事を行う場合や隣接相互のパネル同士に微小な段差が生じた場合等には、精度上、前述したパネルの高さ調整作業が改めて行われることがある。
【００４８】
次に、以下更に、パネル２０及び支持脚１０の敷設施工後におけるパネル２０の着脱施工について、詳細に説明する。
本実施例の特徴的な施工法は、以下の施工作業にある（図１４参照）。
１．　パネルを離脱する施工。
パネル２０を離脱する場合は、例えば、配線又は配線器具の移設や増設の際、これらの点検の際、等がある。　この場合、まず、所望位置の仕上材を剥がした上、パネル２０は、一方向（縦方向又は横方向）に順次、一斉に外してゆき、その外したパネル２０を、例えば図１４に示す様に、横の隣接するパネル２０の上に、表面か裏面のどちらかを上にして置かれる。　少なくとも、外したパネルは外した位置の近くに順次、整然として置かれることが望ましい。
２．　配線又は配線器具の移設や増設、これらの点検作業の施工。
その後、配線又は配線器具の移設や増設、これらの点検、メンテナンス作業が行われる。
【００４９】
３．　パネルを再設置する施工。
上記の各作業が終了した後、外したパネル２０を元の位置に戻すわけだが本実施例では、外したパネルの位置と、元の設置状態のパネルの位置とが１対１に対応していれば、前述した様に、例えばパネル２０を回転させて、敷設方向を変えて支持脚上面に嵌る位置で確実に再設置することが可能となる。
この作業は、パネル２０の敷設方向を作業者に意識させることなく確実でき特に、図１、図３、図４、図５に示す例の場合では、例えば支持脚上面部１０ａの係合部構造３０ｂ、１０ｃ又はパネル隅部２０ａの係合部構造３０ａ、２０ｃを目視だけでパネルの方向性を認識することができるので、より簡単、且つ、確実に再設置することが可能となる。
このことは、専門のパネル施工業者だけでなく、上記配線類等を施工する電気工事業者、更には配線マネジメントや点検作業を行うユーザー等のように専門業者でない者であっても、容易にパネルの着脱が可能となるものであり、パネルの着脱によって生じ易い、パネルのガタツキ、再調整作業等をなくすことが可能となる。
【００５０】
実施例の効果。
（１）　支持脚構造を共有して使用することができ、１種類の支持脚ユニット１及びその対応するパネル２０のみで構成でき、部品点数の削減、構造の簡単化が図れる。この点が、従来技術と大きく異なる。
（２）　パネル２０の構造を簡単化でき、製造しやすい構造となってコスト低減が可能となる。
（３）　施工作業者は、支持脚ユニット１の設置、パネル２０の設置について、向きを考慮しながら施工する必要性がなくなり、簡単に短時間で施工ができるから、施工コストを低減することができる。
（４）　図３、図４、図５、図６の構成であれば、パネル２０を表裏とも使用することが可能となる。
（５）　図３、図４の構成では、支持脚１０のボルト部分を共有することができ、ナット部１０ａ及びパネル受け部１２で成る上面部１０ｃのみの変更で対応でき、基本的な部品は共用し、一部細部部品のみの変更だけで可能となる。　即ち，部品の節約が可能となる。
（６）　二重床構造のパネル敷設後において、一旦、取り外したパネルを、元の敷設状態の位置に戻す施工が、簡単、且つ、確実にできる。
（７）　この種の二重床構造に関しては、従来、パネル１０や支持脚ユニット１、更に両者の係合構造が複雑化し、コストアップ要因になっていたが、製造が容易で、パネル２０や支持脚ユニット１の基本構造を大幅に変えることなく簡単な構造で、安価に構成することができる。
（８）　施工業者が、パネル２０を離脱し元に戻す際、パネル２０の向きを誤って変えてしまっても、うまく収まらない（パネルが浮く、ガタツキが生じる）様になるため、容易に気付くことが出来、パネル配置の修正が容易である。
【００５１】
【発明の効果】
本発明に係る二重床構造及びその施工方法によれば、以下の効果を奏することができる。
１．　１種類の支持脚及びその対応するパネルのみで構成でき、部品点数の削減、構造の簡単化が可能となる。
２．　パネル構造を簡単化でき、製造しやすい構造となってコスト低減が可能となる。
３．　施工作業者は、支持脚の設置、パネルの設置について、向きを考慮しながら施工する必要性がなくなり、簡単に短時間で施工ができるから、施工コストの低減が可能となる。
４．　パネル敷設後において、一旦、取り外したパネルを、元の敷設状態の位置に戻す施工が、簡単、且つ、確実に可能となる。
５．　施工業者が、パネルを離脱し元に戻す際、パネルの向きを誤って変えてしまってもうまく収まらない（パネルが浮く、ガタツキが生じる）様になるため、容易に気付くことが出来、パネル配置の修正が容易である。
【００５２】
【図面の簡単な説明】
【図１】本願発明の第１実施例を示す支持脚ユニット１と、パネル部材２０の一部を拡大したそれぞれの斜視図である。
【図２】図１の４つの支持脚ユニット１に、１枚のパネル部材２０を係合設置した状態を示す平面図である。
【図２Ａ】図１の支持脚ユニットの上面部１０ａ構造の他の実施例であり、係合部分の構造、形態が平面視略四角柱状突起構造になる構成を示した図である。
【図２Ｂ】図１の支持脚ユニットの上面部１０ａ構造の係合部分の構造、形態が平面視略三角柱状突起構造になる構成を示した図である。
【図２Ｃ】図１の支持脚ユニットの上面部１０ａ構造の係合部分の構造、形態が、平面視略１／４円柱状突起構造になる構成を示した図である。
【図３】図１と異なる第２の実施例を示す支持脚ユニット１とパネル部材２０の一部を拡大した斜視図である。特に、支持脚ユニット上面部１０ｂ、１０ｃの大きさが異なる場合の例の斜視図である。
【図４】図３の側面断面図であり、支持脚ユニット１とパネル部材２０との係合状態を示した図である。
【図５】図３に示した支持脚ユニットの他の実施例を示した支持脚ユニットの斜視図である。
【図５Ａ】図５の支持脚ユニット１の太い支持脚１０に上面部１０ａがねじ込まれた状態を示した側面部分断面図である。
【図５Ｂ】図５の支持脚ユニット１の細い支持脚１０に上面部１０ａがねじ込まれた状態を示した側面部分断面図である。
【図６】図３、図５に示す支持脚ユニット１、パネル部材２０を適用し二重床を構成した場合の２枚のパネル部材２０を支持脚ユニット１から離脱させた状態を示した平面図である。
【図７】図１に示した支持脚ユニット１の上面部１０ａを変える係合構造の他の変形例であって、２０個の支持脚ユニット１に１２枚のパネル部材２０を係合設置した状態を示した平面図である。
【図７Ａ】支持脚ユニット１の他の変形例の縦断面図である。
【図７Ｂ】支持脚ユニット１の上面部１０ａの他の変形例の平面図である。
【図７Ｃ】支持脚ユニット１のパネル部材２０の他の変形例の平面図である。
【図７Ｄ】図７ＣをＡ−Ａ方向から見た横断面図である。
【図８】図７と異なる上面部１０ａの構造を備えた更に他の例を示す図であって、９つの支持脚ユニットに４枚のパネル部材２０を係合設置した状態を示した平面図である。
【図８Ａ】支持脚ユニット１の更に他の例の断面図である。
【図８Ｂ】支持脚ユニット１の更に他の例の上面部１０ａの平面図である。
【図８Ｃ】パネル部材２０の平面図及びその側面図及びＡ−Ａ方向から見た横断面図である。
【図９】図７、図８と異なる上面部１０ａの構造を備えた他の例を示す図であって、９つの支持脚ユニット１に４枚のパネル部材２０を係合設置した状態を示した平面図である。
【図９Ａ】支持脚ユニット１の他の例の断面図である。
【図９Ｂ】支持脚ユニット１の他の例における上面部１０ａを示す平面図である。
【図９Ｃ】パネル部材２０の平面図及びその各側面図である。
【図１０】本実施例に係る支持脚ユニット１を床面Ｆに設置するに際し、隅出し状態を示した平面図である。
【図１１】床面上に複数の支持脚ユニット１を設置する設置方法を示す平面図及び上面部１０ａの一部拡大平面図である。
【図１２】支持脚ユニット１の高さ調整方法を説明する一部断面を示した側面図である。
【図１３】支持脚ユニット１上にパネル部材２０を設置した状態を示した平面図である。
【図１４】支持脚ユニット１上のパネル部材２０の４枚を離脱させた状態を示す平面図である。
【符号の説明】
１・・・・・・・・・・支持脚ユニット
５・・・・・・・・・・基台
１０・・・・・・・・・・支持脚
１０ａ・・・・・・・・・上面部
１０ｂ、１０ｃ・・・・・係合部
１０ｘ・・・・・・・・・工具挿入口
１０ｙ・・・・・・・・・工具
１１・・・・・・・・・・台座部
１２・・・・・・・・・・パネル受け部
１３・・・・・・・・・・係合部分
２０・・・・・・・・・・パネル、パネル部材
２０ａ・・・・・・・・・パネル四隅部、隅部
２０ｂ、２０ｃ・・・・・パネル係合部
３０・・・・・・・・・・係合構造
３０ａ・・・・・・・・・窪み構造
３０ｂ・・・・・・・・・突起構造
３１ｂ・・・・・・・・・円筒状突起
３１ａ・・・・・・・・・・窪み部
３２ａ・・・・・・・・・切り欠き部
３２ｂ・・・・・・・・・突起部
４０・・・・・・・・・・高さ調整機構
Ｆ・・・・・・・・・・床面
Ｐ・・・・・・・・・・施工前のパネル
Ｐ０・・・・・・・・・　外したパネル
【図１】
2004027491.tif 000003
【図２】
2004027491.tif 000004
【図２Ａ】
2004027491.tif 000005
【図２Ｂ】
2004027491.tif 000006
【図２Ｃ】
2004027491.tif 000007
【図３】
2004027491.tif 000008
【図４】
2004027491.tif 000009
【図５】
2004027491.tif 000010
【図５Ａ】
2004027491.tif 000011
【図５Ｂ】
2004027491.tif 000012
【図６】
2004027491.tif 000013
【図７】
2004027491.tif 000014
【図７Ａ】
2004027491.tif 000015
【図７Ｂ】
2004027491.tif 000016
【図７Ｃ】
2004027491.tif 000017
【図７Ｄ】
2004027491.tif 000018
【図８】
2004027491.tif 000019
【図８Ａ】
2004027491.tif 000020
【図８Ｂ】
2004027491.tif 000021
【図８Ｃ】
2004027491.tif 000022
【図９】
2004027491.tif 000023
【図９Ａ】
2004027491.tif 000024
【図９Ｂ】
2004027491.tif 000025
【図９Ｃ】
2004027491.tif 000026
【図１０】
2004027491.tif 000027
【図１１】
2004027491.tif 000028
【図１２】
2004027491.tif 000029
【図１３】
2004027491.tif 000030
【図１４】
2004027491.tif 000031